(57)【要約】【課題】  指掛け部と兼用できる吐出器のポンプストッパーを提供すること。【解決手段】  容器本体の口筒部に装着され、頂壁を有する取付キャップと、取付キャップに装着されるポンプと、ポンプの上端に装着され、下方に向けて垂設される筒体を有するノズルヘッドとを具える吐出器に対して、着脱自在に嵌挿されるポンプストッパーであって、ポンプストッパーは、上面視Ｃ字状に側方開口が形成される略円筒形状のストッパー本体を具え、ストッパー本体は、取付キャップの頂壁とノズルヘッドの筒体との間に嵌挿される際に、上端側または下端側のいずれか一方にノズルヘッドの筒体が下方移動するのを阻止する規制部を有するとともに、他方にノズルヘッドの筒体が下方移動するのを許容する空間部を有することを特徴とする。【選択図】  図１
2015227198.tif 000002
【特許請求の範囲】
【請求項１】
容器本体の口筒部に装着され、頂壁を有する取付キャップと、取付キャップに装着されるポンプと、ポンプの上端に装着され、下方に向けて垂設される筒体を有するノズルヘッドとを具える吐出器に対して、着脱自在に嵌挿されるポンプストッパーであって、
ポンプストッパーは、上面視Ｃ字状に側方開口が形成される略円筒形状のストッパー本体を具え、
ストッパー本体は、取付キャップの頂壁とノズルヘッドの筒体との間に嵌挿される際に、上端側または下端側のいずれか一方にノズルヘッドの筒体が下方移動するのを阻止する規制部を有するとともに、他方にノズルヘッドの筒体が下方移動するのを許容する空間部を有することを特徴とするポンプストッパー。
【請求項２】
ポンプストッパーは、ストッパー本体から径方向外方に向けて延設される指掛け具を有することを特徴とする請求項１に記載のポンプストッパー。
【請求項３】
ストッパー本体は、円筒形状から周方向に両側端面で切り欠かれた内筒壁と、内筒壁から一定の間隔をおいて外周側に連設され、円筒形状から周方向に両側端面で切り欠かれた外筒壁と、内筒壁と外筒壁との間に空間部が形成されるとともに、内筒壁と外筒壁の上端側または下端側のいずれか一方が規制部として接続されることを特徴とする請求項１または２に記載のポンプストッパー。
【請求項４】
規制部は、内筒壁端部と外筒壁端部とを接続する少なくとも一つの連結片からなることを特徴とする請求項３に記載のポンプストッパー。
【請求項５】
ストッパー本体には、側方開口と反対側の径方向外方に向けて摘み部が延設されていることを特徴とする請求項１〜４のいずれかに記載のポンプストッパー。
【発明の詳細な説明】
【技術分野】
【０００１】
本発明は、ポンプ式の吐出器に関し、特に吐出器のノズルヘッドと取付キャップとの間に着脱自在に嵌挿するポンプストッパーに関するものである。
【背景技術】
【０００２】
内容液を収容した容器本体の口筒部に装着された取付キャップと、下部に吸上げパイプを装着したポンプと、ポンプ上部に装着されたノズルヘッドとからなり、ノズルヘッドを押下げることで、容器本体内の内容液を吸上げパイプで吸上げ、ノズルヘッドのノズル口から内容液を吐出させるポンプ式の吐出器は、従来から周知である。
このような吐出器において、流通、保管時または販売陳列時に、意図的にまたは不用意に加えられた外力によって内容液が吐出されることを防止するために、ノズルヘッドと取付キャップとの間にポンプストッパーを嵌挿させることで、ノズルヘッドの押下げを阻止し、不用意に容器本体内の内容液が吐出するのを防止することも、従来から知られている（例えば、特許文献１および２参照）。
【先行技術文献】
【特許文献】
【０００３】
【特許文献１】特開２００７−３８０４８号公報
【特許文献２】特開２００９−５６４０４号公報
【発明の概要】
【発明が解決しようとする課題】
【０００４】
しかしながら、上記特許文献１および２記載の吐出器は、使用時にポンプストッパーを取り外すと、取り外したポンプストッパーは不要となるため、そのまま廃棄するか、または再度使用する予定があれば、別に保管しておく必要があった。
【０００５】
さらに、既存の吐出器に指掛け具を追加しようとする場合、新たな部品を必要とするために、製品コストにはね返るだけでなく、部品点数が増えることで環境負荷が増すことになる。
また、上述の問題を解消するために、上記特許文献２記載の吐出器のように、指掛け具を取付キャップと一体化することも考えられるが、取付キャップと一体化すると、指掛け具が必要でない使用者にとって邪魔になるという問題があった。
【０００６】
本発明は、上記問題を解決することを課題とし、吐出器にとって、流通時に必要不可欠なポンプストッパーを使用時に廃棄する必要がなく、吐出器に嵌挿したまま利用することができ、新たに部品点数を増やすことなく、指掛け具としても兼用できるポンプストッパーを提供することを目的とする。
【課題を解決するための手段】
【０００７】
本発明は、上記の課題を解決するため、ポンプストッパーとして、容器本体の口筒部に装着され、頂壁を有する取付キャップと、取付キャップに装着されるポンプと、ポンプの上端に装着され、下方に向けて垂設される筒体を有するノズルヘッドとを具える吐出器に対して、着脱自在に嵌挿されるポンプストッパーであって、ポンプストッパーは、上面視Ｃ字状に側方開口が形成される略円筒形状のストッパー本体を具え、ストッパー本体は、取付キャップの頂壁とノズルヘッドの筒体との間に嵌挿される際に、上端側または下端側のいずれか一方にノズルヘッドの筒体が下方移動するのを阻止する規制部を有するとともに、他方にノズルヘッドの筒体が下方移動するのを許容する空間部を有することを特徴とする構成を採用する。
【０００８】
ポンプストッパーの具体的実施形態として、ポンプストッパーは、ストッパー本体から径方向外方に向けて延設される指掛け具を有することを特徴とする構成を採用する。
また、ストッパー本体の具体的実施形態として、ストッパー本体は、円筒形状から周方向に両側端面で切り欠かれた内筒壁と、内筒壁から一定の間隔をおいて外周側に連設され、円筒形状から周方向に両側端面で切り欠かれた外筒壁と、内筒壁と外筒壁との間に空間部が形成されるとともに、内筒壁と外筒壁の上端側または下端側のいずれか一方が規制部として接続されることを特徴とする構成を採用する。
【０００９】
ポンプストッパーの別の具体的実施形態として、規制部は、内筒壁端部と外筒壁端部とを接続する少なくとも一つの連結片からなることを特徴とする構成を採用し、また、ストッパー本体には、側方開口と反対側の径方向外方に向けて摘み部が延設されていることを特徴とする構成を採用する。
【発明の効果】
【００１０】
本発明のポンプストッパーは、上面視Ｃ字状に側方開口が形成される略円筒形状のストッパー本体を具え、ストッパー本体は、取付キャップの頂壁とノズルヘッドの筒体との間に嵌挿される際に、上端側または下端側のいずれか一方にノズルヘッドの筒体が下方移動するのを阻止する規制部を有するとともに、他方にノズルヘッドの筒体が下方移動するのを許容する空間部を有することにより、ポンプストッパーを上下反転し、ストッパー本体の規制部側が取付キャップの頂壁と対向するように吐出器に嵌挿すると、ノズルヘッドの筒体がストッパー本体の内筒壁と外筒壁との間に形成される空間部を下方に移動できるので、吐出器にポンプストッパーを嵌挿した状態で使用することができる。
【００１１】
また、本発明のポンプストッパーは、ストッパー本体から径方向外方に向けて延設される指掛け具を有することにより、流通時は通常のポンプストッパーとして機能し、使用時はポンプストッパーを上下反転して吐出器に嵌挿することで、指掛け具に転用することができる。
これにより、指掛け具を新たに作成する必要がなく、コストの削減および環境負荷の低減に寄与することができる。
【００１２】
さらに、規制部は、内筒壁端部と外筒壁端部とを接続する少なくとも一つの連結片からなることにより、内筒壁端部と外筒壁端部とが周方向全体にわたって接続される場合と比べて、内筒壁と外筒壁とが変形しやすくなり、吐出器にポンプストッパーを嵌挿する際に、容易に嵌挿することができる。
【図面の簡単な説明】
【００１３】
【図１】本発明の第１実施例であるポンプストッパーを流通時に吐出器に嵌挿した状態を示す図であり、（ａ）は上面図であり、（ｂ）は正面半断面図である。
【図２】本発明の第１実施例であるポンプストッパーを流通時に吐出器に嵌挿した状態を示す側面断面図である。
【図３】本発明の第１実施例であるポンプストッパーを使用時に吐出器に嵌挿した状態を示す正面半断面図である。
【図４】本発明の第１実施例であるポンプストッパーを示す斜視図であり、（ａ）はストッパーとして使用する状態を示す図であり、（ｂ）は指掛け具として使用する状態を示す図である。
【図５】本発明の第２実施例であるポンプストッパーを流通時に吐出器に嵌挿した状態を示す図であり、（ａ）は上面図であり、（ｂ）は正面半断面図である。
【図６】本発明の第２実施例であるポンプストッパーを使用時に吐出器に嵌挿した状態を示す正面半断面図である。
【図７】本発明の第２実施例であるポンプストッパーを示す斜視図であり、（ａ）はストッパーとして使用する状態を示す図であり、（ｂ）は指掛け具として使用する状態を示す図である。
【発明を実施するための形態】
【００１４】
次に、本発明の実施形態について、図面を参照して説明する。
【実施例１】
【００１５】
図１、２において、Ａは内容液を収容する容器本体、Ｂは容器本体Ａに装着される取付キャップ、Ｃは取付キャップＢに装着されるポンプ、ＤはポンプＣの上端に装着されるノズルヘッド、ＥはノズルヘッドＤと取付キャップＢとの間に着脱自在に嵌挿されるポンプストッパーである。
なお、以下の説明において、図１（ｂ）でみて、上方向を「上方」とし、下方向を「下方」とする。
取付キャップＢと、ポンプＣと、ノズルヘッドＤとを組み立てることによって吐出器が形成される。
容器本体Ａは、口筒部１と胴部２とを具え、口筒部１外周には、取付キャップＢを螺合する雄ネジ３が設けられている。
【００１６】
取付キャップＢは、頂壁５と、頂壁５の中心部を貫き立設される案内筒６と、頂壁５の外周縁から下方に垂設される側周壁７とを具えている。
案内筒６は、内周で、後述するノズルヘッドＤの上下動を案内し、外周上端には、係合突条８が設けられている。
側周壁７の内周上端には、ポンプＣと係合する係合部９が設けられ、その下方には、容器本体Ａの雄ネジ３に螺合する雌ネジ１０が設けられている。
【００１７】
ポンプＣは、図２に示すように、取付キャップＢの側周壁７の内周上端に係合部９で装着された大径の空気用シリンダー１５の下部に、小径の液用シリンダー１６を同心円状に垂設している。
取付キャップＢに対して上方に付勢されるステム１９は、上下端を開口した筒状をなし、液用ピストン１８を下部に嵌合するとともに、空気用シリンダー１５内を摺動する空気用ピストン１７を外周上部に連携させ、液用シリンダー１６内及び空気用シリンダー１５内を上下動可能に装着されている。
液用シリンダー１６は、底部からパイプ保持筒２１を一体に垂設し、パイプ保持筒２１には、吸上げパイプ２２が接続されている。
【００１８】
ステム１９と装着筒部２０との間に、液用シリンダー１６からの液体と空気用シリンダー１５からの空気とが合流する気液混合室２３が形成されており、気液混合室２３に続く装着筒部２０内には、二つの発泡部材２４が装着されている。
本実施例では、発泡部材２４として、目の粗さの異なるメッシュを張設したリング体を一対装着しているが、メッシュを張設したリング体を一つ装着することも、三つ以上装着することも可能であり、必要に応じて選択できる。
【００１９】
ステム１９上端には、装着筒部２０が装着されるとともに、後述するノズルヘッドＤの装着筒体２７の下部が嵌着されている。 
【００２０】
ポンプＣ内の構造は、公知のものであって、気液混合室に、内容液とともに空気を送給し、混合された気液を発泡部材で泡状化し、ノズルから吐出できるものであればよく、とくに限定されない。
【００２１】
ノズルヘッドＤは、図１、２に示すように、片側にノズル２５を設けたヘッド部２６と、ヘッド部２６の下方に垂設される装着筒体２７と筒体２８とを具えている。
装着筒体２７内部は、ステム１９と連通する流通路２９となっており、流通路２９に続いて、ノズル２５先端まで吐出路３０が穿設されており、先端はノズル口３１となっている。
筒体２８の下端内周には、係合部材３２が装着され、取付キャップＢの案内筒６（係合突条８）の外周と僅かな隙間が設けられている。
【００２２】
ポンプストッパーＥは、図４に示すように、上面視Ｃ字状に側方開口３８が形成され、取付キャップＢの案内筒６外周に嵌挿される略円筒形状のストッパー本体３５と、ストッパー本体３５外周下端側から径方向外方に向けて延設される二つの指掛け具３６と、ストッパー本体３５外周上端側から径方向外方に向けて延設される摘み部３７とを具えている。
摘み部３７は、ストッパー本体３５の側方開口３８と反対側に配置され、二つの指掛け具３６は、摘み部３７とそれぞれ約９０度の角度をなすように配置されている。
なお、本実施例では、二つの指掛け具３６を設けているが、指掛け具は、設けなくても構わないし、設ける場合には、その形状や設置位置を適宜選択できる。
また、摘み部３７は、本実施例の場合、ストッパー本体３５外周上端側から水平に延設される平板形状とし、その上面に滑り止め凸部３７ａを形成したものとしているが、摘み部３７の形状は適宜選択でき、たとえば、縦長の平板形状であっても構わない。
【００２３】
ストッパー本体３５は、円筒形状から周方向に両側端面３９ａで切り欠かれた内筒壁３９と、内筒壁３９から一定の間隔をおいて外周側に連接され、内筒壁３９と同様に、円筒形状から周方向に両端面４０ａで切り欠かれた外筒壁４０と、内筒壁３９の上端側３９ｂと外筒壁４０の上端側４０ｂとを３カ所で接続する上面視扇形で平板状の連結片４１とを具えている。
内筒壁３９と外筒壁４０との間には、下端側から上端側の連結片４１に向けて、ノズルヘッドＤの筒体２８が下方移動するのを許容する空間部４２が形成されるとともに、３つの連結片４１は、ノズルヘッドＤを押し下げるのを阻止する規制部として機能する。
【００２４】
ここで、本実施例の使用態様と作用効果について説明する。
まず、取付キャップＢと、ポンプＣと、ノズルヘッドＤとを組み立てる吐出器の製造時などにおいて、ポンプストッパーＥを取付キャップＢの案内筒６に嵌挿する場合には、図１および図４（ａ）に示すように、ストッパー本体３５の規制部である３つの連結片４１を具える上端側をノズルヘッドＤの筒体２８の下端部に対向するように、ストッパー本体３５の側方開口３８を案内筒６に向けた状態で、摘み部３７を摘みながら径方向内方に押し込む。
このとき、まずストッパー本体３５の内筒壁３９の両側端面３９ａが案内筒６の外周面に当接し、この状態でストッパー本体３５を径方向内方へ押し込むと、内筒壁３９が弾性変形により両側端面３９ａが広がるのに伴って連結片４１で接続される外筒壁４０も弾性変形しながら案内筒６に嵌挿される。
以上のようにして、ポンプストッパーＥを案内筒６に嵌挿することができる。
【００２５】
なお、本実施例では、３つの連結片４１により内筒壁３９の上端側３９ｂと外筒壁４０の上端側４０ｂとを接続しているが、連結片４１の数は必要に応じて増減でき、一つの連結片で全周にわたって接続しても構わない。
好ましくは、少なくとも一つの連結片で接続することにより、内筒壁３９の上端側３９ｂと外筒壁４０の上端側４０ｂとが周方向全体にわたって接続される場合と比べて、内筒壁３９と外筒壁４０とが変形しやすくなり、吐出器にポンプストッパーＥを嵌挿する際に、容易に嵌挿することができる。
【００２６】
また、ポンプストッパーＥの指掛け具３６を必要としない場合には、ストッパー本体３５から外筒壁４０を省略し、内筒壁３９と、内筒壁３９の外周上端側から径方向外方に向けて延設される連結片４１および摘み部３７だけにすることもでき、ポンプストッパーＥの構造を簡素化できる。
このように、ポンプストッパーＥが案内筒６に嵌挿された状態では、ストッパー本体３５の上端側の規制部である３つの連結片４１がノズルヘッドＤの筒体６の下端縁に近接または当接し、ストッパー本体３５の下端側が取付キャップＢの頂壁５上に位置しているので、ノズルヘッドＤの下方への移動を阻止することができる。
【００２７】
続いて、吐出器の使用時などにおいて、ポンプストッパーＥを案内筒６から取り外す場合には、摘み部３７を径方向外方（図１の矢印方向）へ引っ張ると、ストッパー本体３５の内筒壁３９の両周端縁が弾性変形して広がるのに伴って連結片４１で接続される外筒壁４０も弾性変形しながら案内筒６から取り外すことができる。
【００２８】
つぎに、図３に示すように、案内筒６から取り外したポンプストッパーＥを上下反転させ、３つの連結片４１が取付キャップＢの頂壁５上に位置するようにして案内筒６に嵌挿する。
そうすると、ノズルヘッドＤを押下げたときに、筒体６の下端縁がストッパー本体３５の空間部４２内を下方に移動することができる。
さらに、指掛け具３６を使用する場合には、指をあてがって片手で操作することも可能である。
【００２９】
泡状の内容液を吐出するときには、ノズルヘッドＤを押下げると、装着筒部２７に嵌着されたステム１１が押下げられて、液用シリンダー１６内の液体および空気用シリンダー１５内の空気を加圧することにより、これらの液体および空気を気液混合室２３に供給して合流させ、発泡部材２４を通して泡立たせた後、流通路２９と吐出路３０を通り、ノズルヘッドＤのノズル口３１から外部へ吐出するようになっている。
【００３０】
なお、本実施例では、吐出器として、ノズルから泡状の液体を吐出するいわゆるフォーマーポンプを示したが、これに代えて、ノズルから液体を泡立たせずに吐出するポンプであっても構わないし、あるいは、いわゆるエアゾール式の吐出器であっても構わない。
【実施例２】
【００３１】
つぎに、指掛け具の構成を変更した第２実施例について説明する。
本実施例については、第１実施例と同一の構成部分には同一の符号を付して図示することで詳しい説明を省略し、相違点を中心に説明する。
図５において、Ａは内容液を収容する容器本体、Ｂは容器本体Ａに装着される取付キャップ、Ｃは取付キャップＢに装着されるポンプ、ＤはポンプＣの上端に装着されるノズルヘッド、ＦはノズルヘッドＤと取付キャップＢとの間に着脱自在に嵌挿されるポンプストッパーである。
【００３２】
ポンプストッパーＦは、図７に示すように、取付キャップＢの案内筒６外周に嵌挿されるストッパー本体３５と、ストッパー本体３５外周上端側から径方向外方に向けて延設される二つの指掛け具４３と、摘み部３７とを具えている。
摘み部３７は、ストッパー本体３５の側方開口３８と反対側に配置され、二つの指掛け具４３は、摘み部３７とそれぞれ約９０度の角度をなすように配置されている。
【００３３】
ここで、本実施例の使用態様と作用効果について説明する。
本実施例のポンプストッパーＦは、第１実施例のポンプストッパーＥにおいて、指掛け具３６を設ける位置を変更するとともに、その径方向の長さも変更したものに相当する。
すなわち、本実施例の場合は、指掛け具４３をストッパー本体３５外周上端側に設けるとともに、指掛け具４３を取付キャップＢの外縁よりも外方へ延長している。
このため、本実施例のポンプストッパーＦは、第１実施例よりも小さな吐出器に使用する場合でも、ポンプストッパーＦを上下反転させて使用する際に、指掛け具４３とヘッド部２６との間隔を広げることで、適切な間隔に設定できる。
また、第１実施例と同様に、ポンプストッパーＦの構造を簡素化し、ストッパー本体３５から外筒壁４０を省略し、内筒壁３９と、内筒壁３９の外周上端側から径方向外方に向けて延設される連結片４１、指掛け具４３および摘み部３７だけにすることができる。
この場合には、第１実施例と異なり、指掛け具４３を設けることができる。
その他の作用効果は、第１実施例と同様である。
【産業上の利用可能性】
【００３４】
本発明のポンプストッパーは、ノズルから内容液を泡状にして吐出するフォーマーポンプを有する吐出器に限らず、内容液を液状のまま吐出する吐出器や内容液を霧状にして噴霧するエアゾール式の吐出器にも適用でき、流通時は通常のポンプストッパーとして機能し、使用時はポンプストッパーを上下反転して吐出器に嵌挿することで、ポンプストッパーを別に保管する必要がなく、また、必要な場合には指掛け具として転用することができるから、ポンプ式の吐出器のポンプストッパーとして広く使用することができ、特に、洗浄料や化粧料などの吐出器のノズルヘッドを押し下げて使用する必要がある内容物を充填する容器のポンプストッパーとして好適である。
【符号の説明】
【００３５】
Ａ        容器本体
Ｂ        取付キャップ
Ｃ        ポンプ
Ｄ        ノズルヘッド
Ｅ、Ｆ    ポンプストッパー
１        口筒部
２        胴部
３        雄ネジ
５        頂壁
６        案内筒
７        側周壁
８        係合突条
９        係合部
１０        雌ネジ
１５        空気用シリンダー
１６        液用シリンダー
１７        空気用ピストン
１８        液用ピストン
１９        ステム
２０        装着筒部
２１        パイプ保持筒
２２        吸上げパイプ
２３        気液混合室
２４        発泡部材
２５        ノズル
２６        ヘッド部
２７        装着筒体
２８        筒体
２９        流通路
３０        吐出路
３１        ノズル口
３２        係合部材
３５        ストッパー本体
３６、４３  指掛け具
３７        摘み部
３７ａ      滑り止め凸部
３８        側方開口
３９        内筒壁
３９ａ、４０ａ  両側端面
３９ｂ、４０ｂ  上端側
４０        外筒壁
４１        連結片
４２        空間部
【図１】
2015227198.tif 000003
【図２】
2015227198.tif 000004
【図３】
2015227198.tif 000005
【図４】
2015227198.tif 000006
【図５】
2015227198.tif 000007
【図６】
2015227198.tif 000008
【図７】
2015227198.tif 000009